(57)【要約】      （修正有）【課題】パチンコ機又はパチスロ島台の幕板に関し、イベント予定や飲食物の出前情報、その他の各種案内表示を掲出して遊戯者にサービス情報を提供して店のイメージアップや売り上げの増大を図り、且つその情報表示物の交換を簡単迅速に行う。【解決手段】所定の長さＬに設定した横長の矩形の基板本体１の一部を形成する上辺枠体２を左辺枠体３と右辺枠体４から分離すると共に、その上辺枠体に沿って透明プレート７を固着し、矩形基板本体１の左辺枠体３と右辺枠体４及び下辺枠体５に上辺枠体の透明プレート７を上方から抜き差しできるように嵌め込むための凹溝形ガイド６を成形し、透明プレート７の裏面にビラやチラシ等の表示物１０を挟み入れたパチンコ機又はパチスロ島台の幕板の構成。【選択図】図２
0003101599.tif 000002
【実用新案登録請求の範囲】
【請求項１】
所定の長さ（Ｌ）に設定した横長の矩形の基板本体（１）の一部を形成する上辺枠体（２）を左辺枠体（３）と右辺枠体（４）から分離すると共に、その上辺枠体に沿って透明プレート（７）を固着し、上記矩形基板本体の左辺枠体（３）と右辺枠体（４）及び下辺枠体（５）に上辺枠体の透明プレート（７）を上方から抜き差しできるように嵌め込むための凹溝形ガイド（６）を成形し、上記透明プレートの裏面に任意の広告や宣伝事項を表示した印刷したビラやチラシ等からなる表示物（１０）を挟み入れたことを特徴とするパチンコ機又パチスロ島台の幕板。
【考案の詳細な説明】
【技術分野】
【０００１】
本考案は、パチンコ機又パチスロ島台の幕板に関するもので、その店のイベント予定や飲食物の出前情報、その他の各種案内表示を掲出して遊戯者にサービス情報を提供して店のイメージアップや売り上げの増大を図り、且つそのサービス情報を記載したビラやチラシの差し換えを簡単迅速に行えるようにしたことを目的とする。
【背景技術】
【０００２】
一般にパチンコ機又パチスロ島台の幕板は、その機台上部に設置され、装飾機能と点検口を塞ぐ蓋の機能を有している。そして、パチンコ機又パチスロ島台の幕板は、島台の点検口の上枠体にヒンジを介して回動できるように取付けられ、その幕板前面に絵柄やキャラクタを表示する構造のものが数多く知られている。
【特許文献１】実開平０５−００９５８７号公開実用新案公報
【特許文献２】実開平０７−０３７２７６号公開実用新案公報
【特許文献３】特開平１０−１７９９０５号公開特許公報
【０００３】
上記第１の特許文献の考案は、幕板パネル合成樹脂板を用い、印刷等によって装飾が施されている。第２の特許文献の発明は本実用新案登録出願人の出願に係るものであり、枠体に取り外すことができる凸形金具とこれを挿入結合する受け金具とから成るヒンジで取り付けたパネルに絵柄や模様等のデザインを施してある。第３の特許文献の発明にあっては、ヒンジで取付けた幕板の弧状表面に装飾を施す形態になっている。
【考案の開示】
【考案が解決しようとする課題】
【０００４】
ところが、上記の各特許文献の発明・考案においても課題がある。すなわち、第１の特許文献の考案にあって装飾パネルを外した側に引き出すが、高所においてその端板を脱着するのが面倒であると共に、そのパネルを引き出したときに弧状に保形支受していた発泡スチロールが微妙に位置ずれするため、再度パネルを嵌め込む度に位置調節する必要がある。
【０００５】
第２の特許文献の考案にあっては、平板形の幕板をヒンジの掛合を分離して島台の枠体から幕板を取り外すのに労力を要すると共に、高所において、幕板を持ってあげ下ろす作業には多少の危険が伴っていた。
【０００６】
第３の特許文献の発明にあっては、幕板の交換についての開示はないが、ヒンジ結合されている構成であることから、装飾パネルの交換は特許文献１の発明と同じか、幕板の背面側支持体を外して行う構成が普通であるから、課題も特許文献１の発明と同じである。
【課題を解決するための手段】
【０００７】
そこで本考案は従来の課題を解決し、考案の目的を達成するために提供するものである。
【０００８】
本考案はパチンコ機又パチスロ島台の幕板において、パチンコ機２台分の横幅に相当する長さに設定した横長矩形の基板本体の一部を形成する上辺枠体を左辺枠体と右辺枠体から分離すると共に、その上辺枠体に沿って透明プレートを固着し、上記矩形基板本体の左辺枠体と右辺枠体及び下辺枠体に上辺枠体の透明プレートを上方から抜き差しできるように嵌め込むための凹溝形ガイドを成形し、上記透明プレートの裏面に任意の広告や宣伝事項を表示した印刷したビラやチラシ等からなる表示物を挟み入れたものである。
【考案の効果】
【０００９】
本考案は上記の構成であるから次の効果がある。すなわち、上辺枠体を真上方向に引き上げるだけで透明プレートが基板本体から引き抜かれて分離される。これによって、所望の表示物を枠本体の正面板にあてがって、上辺枠体の透明パネルを左右の凹溝形ガイドに上部から差し込んで落とし込むだけで恰も額縁が形成され、簡単且つ容易に装飾表示がセットできる。また、上辺枠体を左右の枠体の凹溝ガイドにはめ込んだ後は、ねじ等の止め具は一切使わないので日替わりや週変わりの出前可能な弁当その他飲食物その他の広告ビラ等の標示物の抜き差し操作が簡単迅速に行える。しかも、その透明プレート付きの上辺枠体を額縁状に形成するのに上方から凹溝形ガイドに沿って落とし込むだけであり、外れたり抜け落ちたりすることがないため、止め具がなくても安全である。
【考案を実施するための最良の形態】
【００１０】
次に本考案に係るパチンコ機又パチスロ島台の幕板において最良の形態について説明する。
【実施例】
【００１１】
図において、１は幕板の横長矩形の基板本体であり、パチンコ機Ｐの２台分に相当する長さＬ（図示例で約１１８．０ｃｍ）に設定し、その上辺枠体２と左右の縦辺に沿う縦辺枠体３・４と下辺に沿う下辺枠体５で額縁体が形成される。前記縦辺枠体３・４の高さＨは島台の点検口Ｃの高さに合わせて設定されるが、図示例は約３０．０ｃｍに設定してある。上記の上辺枠体２は左右の縦辺枠体３・４と分離して成形されている。また、左右の縦辺枠体２・３と下辺枠体５は基板１と一体化して成形されている。６は左右の縦辺枠体３・４と下辺枠体５と基板１の表面１１との間に形成した凹溝形ガイド、７は左右の縦辺枠体３・４と下辺枠体５の凹溝形ガイド６に嵌め込むための透明プレートであり、その上辺７１を上辺枠体２に接着材を介して固着してある。８は透明プレート７と基板１の表面１１の間に配置した乳白色のアクリル材を可とする裏当てプレート、９は基板本体１の上辺の左右に設けたヒンジであり、島台Ｓの点検口Ｃの上辺枠体に取り付けられている。１０は透明プレート６と裏当てプレート８の間に差し込む広告や宣伝事項を印刷したビラやチラシ等の表示物、１１は基板本体１の裏面に当てて接着した合成樹脂製保護プレートである。
【００１２】
「具体的使用例」  本考案の使用例を説明する。
（１） 表示物１０を交換する場合は、島台Ｓに基板本体１を取付けたままの状態でパチンコ機Ｐの正面において、作業員が脚立や踏み台に乗って上辺枠体２の左右端部付近を持って上方に引き抜く。
（２） 基板本体１の中に残っている表示物１０を取り去る。
（３） 新しい表示物を基板本体１の中に位置決めして収容する。
（４） 上辺枠体２を持って上方から透明プレート７を凹溝形ガイド６に差し込む。
（５） 透明プレート７が下辺枠体５の内底に近接し、且つ上辺枠体２が左右の縦辺枠体３・４の上部に接触する位置で停止する。これによって表示物の交換が完了する。この場合、表示物の外形が小さい場合は、基板本体１が露呈する。基板本体には塗装してはあるが、常に装飾適する色とは限らない。そこで、乳白色の半透明のような裏当てプレート９を設けたことによって、その露呈部分の不体裁を隠すことができる。
（６） 点検口Ｃを通じて作業を行うには、基板本体１の下端を持って手前側から上方に向けて持ち上げるとヒンジ９によって回動して点検口Ｃが開かれる。その点検作業中において、基板本体１の裏面に異物が多少強く当たっても保護プレート１１によって基板本体１の塗装の剥離や変形を防止する。
【産業上の利用可能性】
【００１３】
本考案は、従来のパチンコ店における店内装飾に限らず店のイベント予定や店内で注文できる飲食物の出前ができる日替わり又は週変わり等のメニュー等の表示物を頻繁に交換するのに適する。その他、店の利益になるような広告や遊戯客への情報サービスが簡単且つ迅速に行うことができ、幕板を備える各種ゲーム機械の幕板として利用できる。
【図面の簡単な説明】
【００１４】
【図１】本考案に係るパチンコ島台の幕板の正面図である。
【図２】図１の分解正面図である。
【図３】図１の３−３線に沿う拡大分解断面図である。
【図４】図１の拡大一部平面図である。
【図５】透明プレート付きの上辺枠体の拡大一部正面図である。
【図６】本考案に係るパチンコ機の幕板を適用した島台の斜視図である。
【符号の説明】
【００１５】
１……幕板の横長矩形の基板本体
２……上辺枠体
３……左辺枠体
４……右辺枠体
５……下辺枠体
６……凹溝形ガイド
７……透明プレート
８……裏当てプレート
９……ヒンジ
１０……紙製表示物
１１……合成樹脂製保護プレート
【図１】
0003101599.tif 000003
【図２】
0003101599.tif 000004
【図３】
0003101599.tif 000005
【図４】
0003101599.tif 000006
【図５】
0003101599.tif 000007
【図６】
0003101599.tif 000008
【手続補正書】
【提出日】平成15年11月12日(2003.11.12)
【手続補正１】
【補正対象書類名】実用新案登録請求の範囲
【補正対象項目名】全文
【補正方法】変更
【補正の内容】
【実用新案登録請求の範囲】
【請求項１】
所定の長さ（Ｌ）に設定した横長の矩形の基板本体（１）の一部を形成する上辺枠体（２）を左辺枠体（３）と右辺枠体（４）から分離すると共に、その上辺枠体に沿って透明プレート（７）を固着し、上記矩形基板本体の左辺枠体（３）と右辺枠体（４）及び下辺枠体（５）に上辺枠体の透明プレート（７）を上方から抜き差しできるように嵌め込むための凹溝形ガイド（６）を成形し、上記透明プレートの裏面に任意の広告や宣伝事項を表示した印刷したビラやチラシ等からなる表示物（１０）を挟み入れたことを特徴とするパチンコ機又はパチスロ島台の幕板。
【手続補正３】
【補正対象書類名】明細書
【補正対象項目名】０００１
【補正方法】変更
【補正の内容】
【０００１】
本考案は、パチンコ機又はパチスロ島台の幕板に関するもので、その店のイベント予定や飲食物の出前情報、その他の各種案内表示を掲出して遊戯者にサービス情報を提供して店のイメージアップや売り上げの増大を図り、且つそのサービス情報を記載したビラやチラシの差し換えを簡単迅速に行えるようにしたことを目的とする。
【手続補正４】
【補正対象書類名】明細書
【補正対象項目名】０００２
【補正方法】変更
【補正の内容】
【０００２】
一般にパチンコ機又はパチスロ島台の幕板は、その機台上部に設置され、装飾機能と点検口を塞ぐ蓋の機能を有している。そして、パチンコ機又パチスロ島台の幕板は、島台の点検口の上枠体にヒンジを介して回動できるように取付けられ、その幕板前面に絵柄やキャラクタを表示する構造のものが数多く知られている。
【手続補正５】
【補正対象書類名】明細書
【補正対象項目名】０００８
【補正方法】変更
【補正の内容】
【０００８】
本考案はパチンコ機又はパチスロ島台の幕板において、パチンコ機２台分の横幅に相当する長さに設定した横長矩形の基板本体の一部を形成する上辺枠体を左辺枠体と右辺枠体から分離すると共に、その上辺枠体に沿って透明プレートを固着し、上記矩形基板本体の左辺枠体と右辺枠体及び下辺枠体に上辺枠体の透明プレートを上方から抜き差しできるように嵌め込むための凹溝形ガイドを成形し、上記透明プレートの裏面に任意の広告や宣伝事項を表示した印刷したビラやチラシ等からなる表示物を挟み入れたものである。